(57)【特許請求の範囲】
【請求項１】
速射型火器であって、砲身を備え、該砲身内に装填可能な砲弾を備えており、該砲弾は砲身の長手方向に相前後して配置されかつ互いに相互に支持された複数の副弾（４）から成っており、この場合に各後方の副弾に推進装薬を設けてあり、さらに推進装薬の逐次的な点火のための点火装置を備えており、副弾は順次に砲身から発射されるようになっている形式のものにおいて、
副弾（４）は推進装薬（６，６′）の領域でそれぞれ機械的な結合部によって互いに堅く結合されており、
前記結合部はそれぞれ少なくとも１つの目標破断箇所（７，７′）を有しており、該目標破断箇所は各推進装薬の点火の後に推進ガスの圧力によって裂断されるようになっており、
点火装置は各推進装薬（６，６′）にとって、砲身に装着可能な火工式の点火薬装填装置（２２）を有しており、該点火薬装填装置の駆動ガスは、砲身の壁を貫通していてかつ推進装薬（６，６′）の領域に開口する点火通路（２７）内に入り込んで、各推進装薬（６，６′）を発火させるようになっていることを特徴とする、速射型火器。
【請求項２】
副弾（４）間の機械的な結合部は、ねじ結合部として形成されている請求項１に記載の速射型火器。
【請求項３】
推進装薬（６，６′）は副弾（４）の後部に設けられたケーシング（５，５′）内に配置されている請求項１又は２に記載の速射型火器。
【請求項４】
推進装薬（６，６′）はハウジングに配置されており、該ハウジングはケーシング（５）の中央で、所属の副弾（４）並びに後続の副弾（４）に結合されており、目標破断箇所（７）は前記ハウジングと後続の副弾（４）との結合部に配置されており、推進装薬（６）の前記ハウジングは側方に溢流開口（１３）を有しており、該溢流開口は、前記ハウジング及び前記ケーシング（５）、並びに後続の副弾の頭部によって画成された圧力室（１２）内に通じている請求項３に記載の速射型火器。
【請求項５】
副弾（４）の後部に設けられたケーシングは後方の縁部でもって、後続の副弾（４）若しくは閉鎖フランジ（１６）に圧密に支持されている請求項４に記載の速射型火器。
【請求項６】
ケーシング（５）の後方の縁部及び後続の副弾（４）は、互いに合致して係合し合う歯部（１４，１５）を有している請求項５に記載の速射型火器。
【請求項７】
副弾（４）のケーシング（５′）は後方へ延長されていてかつ雌ねじを備えており、該雌ねじは後続の副弾（４）の頭部に設けられた雄ねじに係合しており、該ねじ結合部は目標破断箇所（７′）を形成しており、前記ケーシング（５′）は中央の支柱部分（３２）を有しており、該支柱部分は後続の副弾（４）の頭部に支持されている請求項３に記載の速射型火器。
【請求項８】
各副弾（４）は後部の領域に周方向へ延びるリング溝（８）を有しており、該リング溝から少なくとも１つの穿孔通路（９）を分岐してあり、該穿孔通路は推進装薬（６）まで延びており、前記リング溝の領域で砲身に点火通路（２７）を設けてあり、該点火通路は前記リング溝の領域と火工式の点火薬装填装置（２２）とを接続している請求項１から７のいずれか１項に記載の速射型火器。
【請求項９】
副弾の後部の領域の周方向へ延びるリング溝（８）は、カバー（１１）を備えており、該カバーは点火薬装填装置（２２）の点火に基づき推進ガスによって貫通されるようになっている請求項８に記載の速射型火器。
【請求項１０】
速射型火器の各副弾に対応して設けられていてケーブル（２６）によって互いに接続された火工式のすべての点火薬装填装置（２２）及び、点火薬装填装置の点火パルスの発生のための点火装置は一緒に１つの構成ユニットにまとめられており、該構成ユニットは、兵器の使用の直前に砲身（２）に装着されるようになっている請求項１から９のいずれか１項に記載の速射型火器。
【発明の詳細な説明】
【技術分野】
【０００１】
本発明は、兵器、それも殊に速射型火器に関する。
【０００２】
速射型火器は、例えば米国特許第６１３８３９５号明細書若しくはヨーロッパ特許出願-A1-１０６９３９４号明細書により公知である。このような兵器は、砲身及び該砲身内に装填可能な砲弾から成っており、砲弾は砲身長手方向に相前後して重ねられかつ互いに支持し合う複数の副弾（サブ弾丸）から成っており、この場合に後側の各副弾に推進装薬を設けてある。副弾は通常は１つのスリーブ内に収容されており、スリーブの壁は個別の推進装薬の領域に電気式の点火装置を備えている。点火装置を介して点火部は電気的に順次（逐次的若しくは連続的）に作動され、これによって推進装薬は発火され、その結果、副弾は順次に発射される。個別の副弾は一般的に４０ｍｍの直径を有しており、射撃周波数は２乃至５Ｈｚである。
【０００３】
スリーブ内における副弾の単純な積み重ねでは、各射撃の際の発射力は正確には再現され得ない。
さらに、スリーブ内に常に存在する電気的な点火部は腐食及び劣化に基づき故障しやすく、電磁干渉を受けやすく、このことは特に軍事品若しくは弾薬の輸送及び貯蔵にとって不都合である。
【０００４】
本発明の課題は、公知の兵器、殊に速射型火器を改善して、速射型火器における各射撃の正確な連続性の再現可能な確実な機能を保証することである。
【０００５】
さらに兵器は、部品並びに副弾を備えたまま長期間にわたって安全に貯蔵され、かつ安全に輸送され得るようにしたい。
【０００６】
前記課題を解決するために、本発明に基づく構成では、副弾は推進装薬（プロペラントチャージ[propellant charge]）の領域で互いに機械的に堅く結合されており、この場合に該結合部に目標破断箇所（予定破断箇所）を設けてあり、該目標破断箇所は各推進装薬の点火の後に正確に推進ガスの圧力によって裂断されるようになっている。
【０００７】
さらなら構成に基づき、推進装薬は火工式の点火薬装填装置（イグニションチャージ）を用いて点火噴流（イグニションジェット）によって、即ち点火装薬の駆動ガス（火薬ガス）によって点火されるようになっている。点火噴流はそれぞれ各点火通路内に入り込み、該点火通路は砲身の壁を貫通しかつ推進装薬の領域に開口している。
【０００８】
堅い若しくは固定的な結合部に設けられた所定の目標破断箇所によって、各副弾は、推進ガスが所定の圧力に達した場合にはじめて砲身から発射される。これによって発射条件は各副弾の射出にとって同一であり、その結果、各副弾は同一の初速及び飛行速度、並びに常にほぼ同一の射程（飛距離）を有している。その結果、再現可能な高い命中精度を達成することができる。
【０００９】
副弾間の機械的な結合によってさらなる利点として、副弾の受容のための個別のスリーブは不要である。発射方向で最も後方に位置する副弾にとっても同一の条件を与えるために、該副弾は１つの閉鎖フランジに支持されていて、かつ機械的な結合部を介して前記閉鎖フランジに結合されており、該結合部は同じく正確に規定された目標破断箇所を備えている。前記閉鎖フランジは、砲身の端部に支持されていて、互いに機械的に結合された副弾、即ち１つの砲弾を砲身内の所定の位置に保持している。互いにねじ結合された複数の副弾及び閉鎖フランジから成るユニットは、本来の砲弾若しくは実弾を形成している。
【００１０】
火工式の点火薬装填装置の点火噴流による推進装薬の点火は次のような利点をもたらし、即ち、点火を極めて正確に再現可能に行うことができ、さらに腐食及び劣化若しくは老化に基づく砲身若しくはスリーブ内の電気的な接触は避けられる。電磁の影響による不都合な障害の問題も避けられる。
【００１１】
１つの砲弾のすべての副弾に設けられた火工式の点火薬装填装置は、有利には１つのユニットにまとめられており、この場合に火工式の点火薬装填装置はそれぞれ砲身の外壁の各受容開口内に沈め込められており、受容開口は点火通路につながっており、点火通路は推進装薬に通じている。前記ユニットは砲弾と別個に貯蔵若しくは保管され、従って輸送及び貯蔵に際して問題は生じない。前記ユニットは、を使用する場合にはじめて砲身に装着される。
【００１２】
本発明に基づく速射型火器は、３つの部品から、即ち砲身、砲弾及び、点火薬装填装置のユニットから構成されている。これらの部品は容易に取り扱われ、個別に長期間にわたって貯蔵若しくは保管でき、かつ危険を伴うことなく、即ち安全に輸送され得るものである。
【００１３】
推進装薬は有利には、副弾の後部に設けられたケーシング内に配置されており、この場合にケーシングは目標破断箇所を有しており、該目標破断箇所に点火通路を開口させてある。各火工式の点火薬装填装置からの点火噴流によって、前記目標破断箇所は貫通され、即ち打ち破られ、これによって点火噴流は直接に推進装薬を発火させる。
【００１４】
異なる実施態様では、ケーシングは該ケーシングの周方向へ延びるリング溝を備えており、この場合には前記リング溝から少なくとも１つの穿孔通路を分岐させてあり、該穿孔通路は推進装薬まで延びている。前記リング溝は、カバーを備えていてよく、該カバーは点火薬装填装置の点火に際して貫通されるようになっている。これによって点火火炎（点火噴流）は前記リング溝内に、次いで穿孔通路内に入り込み、その結果、推進装薬は確実に発火される。
【００１５】
各副弾の発射に際して推進装薬の発火の後の各再現可能な正確な圧力状態を達成するために、各副弾は後部でもってそれぞれ各後続の副弾に圧密に支持されている。これによって、推進装薬の推進ガス（発射ガス）は規定された容積内に伝播して、目標破断箇所を裂断する。圧密な支持は、例えば次のように行われており、即ち、推進装薬の受容のためのケーシングの後方の縁部は、後続の副弾の頭部の形状に適合されており、必要に応じて
副弾の頭部もケーシングの後方の縁部も歯状若しくは段状に形成されていてよく、これによって推進装薬のための容積は、副弾間の目標破断箇所の裂断されるまでは、高い圧密度で密閉されていて一定に保たれている。このような圧密な支持によって、後続の副弾と砲身の内壁との間からの推進ガス（火薬ガス）の漏れは避けられ、従って不都合な圧力変化も避けられる。
【００１６】
本発明の実施態様を従属請求項に記載してある。次に本発明を図示の実施例に基づく詳細に説明する。図面において、
図１は、本発明に基づく速射型火器（速射型ウエポン）の斜視図であり、
図２は、図１の速射型火器の一部分の縦断面図であり、
図３は、速射型火器の砲弾の重ねられた２つの副弾の部分破断図であり、
図４は、速射型火器のための互いに重ねられた複数の副弾から成る砲弾の斜視図であり、
図５は、本発明に基づく速射型火器の別の実施例の一部分の縦断面図である。
【発明を実施するための最良の形態】
【００１７】
図１に示す速射型火器１の砲身２内には、砲弾３（図３も参照）を装填してあり、砲弾は相前後して配置された複数、ここでは５個の副弾（サブ弾丸[sub-projectile]又は複合弾）から成っている。各副弾４は後部にスリーブ状のケーシング５を備えており、該ケーシング内の中央にカプセル入りの推進装薬６をねじ込んである。各副弾のための推進装薬６は、後方（後側）に位置する副弾の頭部にそれぞれ結合されており、この場合に結合部は目標破断箇所７を有している。
【００１８】
各副弾の外周で推進装薬６の前側の領域に、周方向へ延びるリング通路８を設けてあり、該リング通路から複数の穿孔通路９を副弾４の縦軸線に向けて分岐させてあり、該穿孔通路は推進装薬６のための発火薬１０まで通じている。各副弾のリング通路８は、巻き付けバンド１１の延長部によって閉鎖されている。
【００１９】
各副弾の後部に設けられたケーシング５は、カプセル入りの推進装薬７を所定の間隔で取り囲んでいて、そこに圧力室１２を画成しており、該圧力室内に推進装薬６の発火の後の推進ガスは溢流開口（オーバーフロー開口）１３を経て流入するようになっている。
【００２０】
圧力室からの推進ガスの漏れを防止するために、ケーシング５は圧密にオジーブに、即ち後続（後方）の副弾４の頭部に支持されている。ケーシング５の後方の縁部を、図３に示してあるように後続の副弾４の頭部に適合させてあってよく、このためにケーシング５の後方の縁部は符号１４で示すように段付けされており、この場合にケーシングの後方の縁部の段部は、後続の副弾４の頭部の対応する段部１５に係合している。
【００２１】
最後方の副弾４は、閉鎖フランジ１６に支持されており、該閉鎖フランジは砲身２の後方の端部に当接していてかつ、ほかの副弾と同じようにねじ結合部を介して該最後方の副弾４に結合されており、閉鎖フランジのねじ結合部は推進装薬６を受容していてかつ規定された目標破断箇所７を有している。
【００２２】
互いにねじ結合された５つの副弾４及び閉鎖フランジ１６から組み立てられた砲弾３全体は、図４に示してある。該砲弾３は平滑な砲身２内に挿入されて、砲身の後方の端部の周囲に設けられたユニオンナット若しくはスピゴット形ナット１７によって保持されるようになっている。
【００２３】
砲身の外壁には砲身の長手方向に点火薬装填装置２２のための複数の受容穴２１を設けてあり、この場合に点火薬装填装置は火工式の点火装置２３を含んでおり、このような点火装置は、自動車の安全装置、例えばエアバッグ若しくはシートベルト引き締め装置の点火手段によって知られていて、例えばヨーロッパ特許出願第１００００３１０号明細書に開示してある。点火装置２３はハウジング内に点火室を有しており、点火室は点火剤で満たされている。点火室内に接触ピン（接点ピン）を差し込んであり、接触ピンは抵抗線によって点火室内に接続されている。点火装置２３はハウジング２４内に受容されており、該ハウジングは受容穴２１内に装着されている。各ハウジング４に点火コネクタ２５を差し嵌めてあり、該点火コネクタは各点火装置の接触ピンに対する電気的な接続部を成している。コネクタ２５はケーブル２６を介して互いに接続されており、この場合に最初の点火コネクタ２５へ延びるケーブルは、ここには図示してない点火装置に通じており、点火装置は個別の点火薬のための電気的な点火パルスを順次に生ぜしめるようになっている。点火薬装填装置とケーブルと点火装置とから成るユニット全体は、兵器の使用の際にようやく砲身に取り付けられる。
【００２４】
点火薬装填装置２２の各受容穴２１の底部から点火通路２７を半径方向に砲身２の内部へ導いてある。該点火通路は副弾４のリング通路８の領域に開口している。
【００２５】
各点火薬装填装置２２の点火薬を順次に点火すると、点火火炎は点火通路２７を経てリング通路８内に伝播し、これによって巻き付けバンド１１の延長部は貫通される。点火火炎は次いで穿孔通路９内に入り込み、かつ推進装薬７のための発火薬１０を点火し、これによって推進装薬７も発火される。推進装薬の発火に基づき、推進ガスは溢流開口１３を経て圧力室１２内に流れ込んで、各副弾４の底部に所定の圧力を生ぜしめ、その結果、各推進装薬と後続の副弾との間の目標破断箇所７は裂断されて、前方の副弾４は砲身２から発射される。
【００２６】
砲身２の、副弾４を受容している領域は、平滑な砲身部分として形成されており、該砲身部分に、螺旋溝２８（図５、参照）の設けられた砲身部分２ａを接続してある。各副弾が砲身の螺旋溝の設けられた砲身部分２ａに達すると、螺旋溝は巻き付けバンド１１に係合し、その結果、副弾は弾道の安定のために急速に回転される。
【００２７】
図５には、速射型火器の別の実施例を示してある。この場合にも各副弾４は後部にケーシング５′を備えており、該ケーシングは後方へ向かって開いたリング室３１を有しており、該リング室内に推進装薬６を設けてある。ケーシング５′は中央に支柱部分３２を有しており、各前方の副弾は該各副弾のケーシングの前記支柱部分でもって、各後続の副弾に支持されている。
【００２８】
各副弾のケーシングは後方へ延長されていて、雌ねじを備えており、該雌ねじは後続の副弾の頭部若しくは閉鎖フランジ１６′の頭部の雄ねじに係合している。該ねじは規定された目標破断箇所７′を形成している。該実施例においても推進装薬の容積は規定されている。
【００２９】
リング溝から成る目標破断箇所３３を備えて形成されたケーシング５′は、個別の点火薬装填装置２２の点火に基づき、点火薬装填装置２１からの点火火炎によって貫通され、その結果、該点火火炎は直接に推進装薬６を発火させる。目標破断箇所７′によって規定された圧力を達成すると直ちに、目標破断箇所７′は裂断され、その結果、副弾はコントロールされて、再現可能な条件下で砲身２から発射され、砲身部分２′で螺旋溝２８によって回転させられる。
【図面の簡単な説明】
【００３０】
【図１】本発明に基づく速射型火器の斜視図
【図２】図１の速射型火器の一部分の縦断面図
【図３】速射型火器の砲弾の重ねられた２つの副弾の部分破断図
【図４】速射型火器のための互いに重ねられた複数の副弾から成る砲弾の斜視図
【図５】本発明に基づく速射型火器の別の実施例の一部分の縦断面図
【符号の説明】
【００３１】
１  速射型火器、  ２  砲身、  ３  砲弾、  ４  副弾、  ５，５′  ケーシング、  ６，７  推進装薬、  ７  目標破断箇所、  ８  リング通路、  ９  穿孔通路、  １０  発火薬、  １１  巻き付けバンド、  １２  圧力室、  １３  溢流開口、  １４，１５  段部、  １６  閉鎖フランジ、  ２１  受容穴、  ２２  点火薬装填装置、  ２３  点火装置、  ２４  ハウジング、  ２５  点火コネクタ、  ２６  ケーブル、  ２７  点火通路、  ３１  リング室、  ３２  支柱部分
【図１】
0004518425.tif 000002
【図２】
0004518425.tif 000003
【図３】
0004518425.tif 000004
【図４】
0004518425.tif 000005
【図５】
0004518425.tif 000006